【手続補正書】
【提出日】平成19年2月13日(2007.2.13)
【手続補正１】
【補正対象書類名】特許請求の範囲
【補正対象項目名】全文
【補正方法】変更
【補正の内容】
【特許請求の範囲】
【請求項１】
サブフレーム・チャネル構造によりデータを送信する方法であって、該方法は、
データ・チャネルおよび制御チャネルの無線フレーム・チャネル構造において、
−  第１の送信時間間隔は無線フレームの持続期間の整数倍であり、かつ、
−  第２の送信時間間隔は第１の送信時間間隔よりも小さく、かつサブフレームの持続期間に対応している、
と定められていることと、
前記サブフレーム・チャネル構造は、前記第１の送信時間間隔が適用されるものと同じデータ・チャネル上の前記第２の送信時間間隔に対して適用され、前記第１および第２の送信時間間隔が前記同じデータ・チャネルの異なる無線フレームにおいて交互に現れることを可能にすることと、
を特徴とする、前記方法。
【請求項２】
前記サブフレーム・チャネル構造は前記無線フレーム・チャネル構造上に重ね合わされることを特徴とする、請求項１に記載の方法。
【請求項３】
送信時間間隔は、前記制御チャネル上に、第２の時間間隔についての情報を含む明示的制御信号を送信することなく変更されることを特徴とする、請求項１または請求項２に記載の方法。
【請求項４】
前記サブフレーム・チャネル構造によるトランスポート・フォーマット結合情報は、もしトランスポート・フォーマット結合情報が最も最近の送信時間間隔以来変化していれば送信され、もしトランスポート・フォーマット結合情報が変化していなければ送信されないことを特徴とする、請求項１から請求項３のいずれかに記載の方法。
【請求項５】
前記無線フレーム・チャネル構造によりトランスポート・フォーマット結合を表すスロットの記号間隔に対応する記号間隔は、前記サブフレーム・チャネル構造によりトランスポート・フォーマット結合情報を表していることを特徴とする、請求項１から請求項３のいずれかに記載の方法。
【請求項６】
フィードバック情報の１つまたはそれ以上の記号間隔または、１つまたはそれ以上の無線フレーム・チャネル構造スロットのパイロット・シ−ケンスは、前記サブフレーム・チャネル構造についてのトランスポート・フォーマット結合情報を表すために再割り当てされることを特徴とする、請求項１から請求項５のいずれかに記載の方法。
【請求項７】
受信されたサブフレームは、データ送信機に対しアクノリッジされることを特徴とする、請求項１から請求項６のいずれかに記載の方法。
【請求項８】
サブフレーム・チャネル構造送信時間間隔を検出する方法であって、
データ・チャネルにおいてサブフレーム・チャネル構造の送信時間間隔に対応する１つまたはそれ以上のスロットが受信され、また制御チャネルにおいて前記データ・チャネルのスロットに対応する１つまたはそれ以上のスロットの１つまたはそれ以上の送信フォーマット制御記号が受信されることと、
第１のデータ・チャネル・サブフレームの候補デコーディングは、トランスポート・フォーマット制御情報が、前記サブフレーム・チャネル構造の対応する制御チャネル・サブフレームのトランスポート・フォーマット制御情報と一致していると仮定して行われることと、
を特徴とする、前記方法。
【請求項９】
前記方法は、同じデータ・チャネルの異なる無線フレームにおける第１および第２の送信時間間隔の交替の検出を可能にし、サブフレームの持続期間に対応する前記第２の送信時間間隔は前記第１の送信時間間隔より小さいことを特徴とする、請求項８に記載の方法。
【請求項１０】
サブフレーム・チャネル構造送信時間間隔は、前記制御チャネル上に、第２の時間間隔についての情報を含む明示的制御信号を送信することなく検出されることを特徴とする、請求項９に記載の方法。
【請求項１１】
候補デコードされたサブフレーム・データは記憶されることを特徴とする、請求項８から請求項１０のいずれかに記載の方法。
【請求項１２】
無線フレームの全てのサブフレームは候補デコードされることを特徴とする、請求項１１に記載の方法。
【請求項１３】
無線フレームの全ての１つまたはそれ以上のサブフレームが候補デコードされ終わった時に、前記データ・チャネルにおいて前記無線フレームは、トランスポート・フォーマット制御情報が、前記無線フレーム・チャネル構造の対応する制御チャネル無線フレームのトランスポート・フォーマット制御情報と一致していると仮定して候補デコードされることを特徴とする、請求項８から請求項１２のいずれかに記載の方法。
【請求項１４】
前記データ・チャネルにおける前記候補の、１つまたはそれ以上のデコーディングの結果に依存して、メトリックまたはコスト関数により送信無線フレームが選択されることを特徴とする、請求項１３に記載の方法。
【請求項１５】
前記メトリックまたはコスト関数は、選択されたデータが送信されている確率を反映していることを特徴とする、請求項１４に記載の方法。
【請求項１６】
前記メトリックまたはコスト関数は、デコードされたデータが受信データにより調整されている確率を反映していることを特徴とする、請求項１４に記載の方法。
【請求項１７】
前記メトリックまたはコスト関数は、無線フレームの成功裏にデコードされたサブフレームの割合を反映していることを特徴とする、請求項１４に記載の方法。
【請求項１８】
前記割合のメトリックまたはコスト関数は多数決であることを特徴とする、請求項１７に記載の方法。
【請求項１９】
もしデータが、無線フレーム構造を有するデータであり、サブフレーム構造のものでないと考えられるならば、送信時間間隔は前記無線フレーム構造によるトランスポート・フォーマット結合情報から決定され、またもし送信時間間隔が無線フレームの持続期間よりも大きければ、前記送信時間間隔の残りの１つまたはそれ以上の無線フレームは、前記無線フレーム・チャネル構造に従って受信され、かつデコードされることを特徴とする、請求項１４から請求項１６のいずれかに記載の方法。
【請求項２０】
前記送信時間間隔の前記残りの無線フレームのために、サブフレーム・チャネル構造を仮定した候補デコーディングは行われないことを特徴とする、請求項１９に記載の方法。
【請求項２１】
もし前記データ・チャネル・サブフレームの前記サブフレーム候補デコーディングが成功すれば、候補デコードされたサブフレーム・データは高位レイヤへ送られることを特徴とする、請求項８から請求項１０のいずれかに記載の方法。
【請求項２２】
無線フレームのその後のサブフレームは、サブフレームの候補デコーディングが失敗するまで、または受信無線フレームの全てのサブフレームがデコードされ終わるまで候補デコードされることを特徴とする、請求項２１に記載の方法。
【請求項２３】
失敗したデコーディングは、候補デコードされたデータが、前記サブフレーム・チャネル構造によるサブフレームの有効データではないことを示していることを特徴とする、請求項２２に記載の方法。
【請求項２４】
もし前記データ・チャネル・サブフレームの前記サブフレーム候補デコーディングが成功しなければ、前記データ・チャネルにおいて前記無線フレームは、トランスポート・フォーマット制御情報が、前記無線フレーム・チャネル構造の対応する制御チャネル無線フレームのトランスポート・フォーマット制御情報に一致していると仮定して候補デコードされることを特徴とする、請求項８から請求項１０のいずれかに記載の方法。
【請求項２５】
もし無線フレーム構造を有するデータの候補デコーディングがサブフレーム構造を有すると仮定されていなければ、送信時間間隔は、前記無線フレーム構造によりトランスポート・フォーマット結合情報から決定されることを特徴とする、請求項２４に記載の方法。
【請求項２６】
もし送信時間間隔が無線フレームの持続期間よりも大きければ、前記送信時間間隔の残りの１つまたはそれ以上の無線フレームは、前記無線フレーム・チャネル構造に従って受信され、かつデコードされることを特徴とする、請求項２５に記載の方法。
【請求項２７】
前記送信時間間隔の前記残りの無線フレームのために、サブフレーム・チャネル構造が実行されると仮定した候補デコーディングは行われないことを特徴とする、請求項２６に記載の方法。
【請求項２８】
デコードされたデータは高位レイヤへ送られることを特徴とする、請求項２６または請求項２７に記載の方法。
【請求項２９】
請求項１から請求項７のいずれかに記載の前記方法によるデータの送信に適応した無線送信回路を含む、無線送信機。
【請求項３０】
請求項８から請求項２８のいずれかに記載の前記方法によるデータの検出に適応した回路を含む、無線受信機。